(57)【要約】  【課題】  認証により許可されたユーザーのみ全録画予約情報を閲覧することが可能である映像情報処理装置を提供する。  【解決手段】  ユーザーより録画予約を受け付けた際に、予約指示を行ったユーザーがあらかじめユーザー認証を受けているかを確認し（Ｓ１３０）、録画情報の公開（不特定多数のユーザーの閲覧）を許可するか、それとも許可しないかを選択することを可能とする（Ｓ１４０）。予約録画一覧画面をにおいては、公開が許可されている録画予約情報は全ユーザーに対して表示されるが、公開が許可されていない録画予約情報は、認証済みユーザーに対してしか表示されない。【選択図】      図１
2007059977.tif 000002
【特許請求の範囲】
【請求項１】
映像情報の記憶処理を、ユーザーからの指示に基づき指定された日時に自動的に行う録
画予約機能と、
ユーザーに対して暗証番号の入力を要求することにより、ユーザーの認証を行う認証機
能と、
を備えた映像情報処理装置において、
制御部が、前記録画予約機能を用いた前記映像情報の録画予約指示をユーザーから受け
付けた際に、前記録画予約指示を行った前記ユーザーが、前記認証機能により予め認証を
受けた認証済みユーザーであるかを判別する認証結果判別手段と、
前記制御部が、前記認証結果判別手段において、前記ユーザーを前記認証済みユーザー
であると判断した場合に、前記ユーザーに対して、前記録画予約指示内容を不特定多数の
ユーザーに対して公開するかどうかの選択を可能とする公開設定手段と、
前記制御部が、前記録画予約指示内容の内容表示指示をユーザーより受信した際に、前
記内容表示指示を行った前記ユーザーが前記認証済みユーザーであるかを判別し、前記認
証済みユーザーである場合にのみ、前記映像情報処理装置に記憶されている全ての前記録
画予約指示内容を表示するとともに、前記ユーザーが前記認証済みユーザーでない場合は
、全ての前記録画予約指示内容のうち、前記公開設定手段において公開が許可されている
前記録画予約指示内容のみ表示する限定表示手段と、
前記制御部が、前記限定表示手段において、公開が許可されていない前記録画予約指示
内容を前記認証済みユーザーに対して表示する際に、公開が許可されていない前記録画予
約指示内容と公開が許可されている前記録画予約指示内容とを区別するための識別情報を
併せて表示する非公開情報明示手段と、
を備えたことを特徴とする映像情報処理装置。
【請求項２】
映像情報の記憶処理を、ユーザーからの指示に基づき指定された日時に自動的に行う録
画予約機能と、
ユーザーに対して暗証番号の入力を要求することにより、ユーザーの認証を行う認証機
能と、
を備えた映像情報処理装置において、
制御部が、前記録画予約機能を用いた前記映像情報の録画予約指示をユーザーから受け
付けた際に、前記録画予約指示を行った前記ユーザーが、前記認証機能により予め認証を
受けた認証済みユーザーであるかを判別する認証結果判別手段と、
前記制御部が、前記認証結果判別手段において、前記ユーザーを前記認証済みユーザー
であると判断した場合に、前記ユーザーに対して、前記録画予約指示内容を不特定多数の
ユーザーに対して公開するかどうかの選択を可能とする公開設定手段と、
を備えたことを特徴とする映像情報処理装置。
【請求項３】
前記制御部が、前記録画予約指示内容の内容表示指示をユーザーより受信した際に、前
記内容表示指示を行った前記ユーザーが前記認証済みユーザーであるかを判別し、前記認
証済みユーザーである場合にのみ、前記映像情報処理装置に記憶されている全ての前記録
画予約指示内容を表示するとともに、前記ユーザーが前記認証済みユーザーでない場合は
、全ての前記録画予約指示内容のうち、前記公開設定手段において公開が許可されている
前記録画予約指示内容のみ表示する限定表示手段
を備えたことを特徴とする請求項２に記載の映像情報処理装置。
【請求項４】
前記制御部が、前記限定表示手段において、公開が許可されていない前記録画予約指示
内容を前記認証済みユーザーに対して表示する際に、公開が許可されていない前記録画予
約指示内容と公開が許可されている前記録画予約指示内容とを区別するための識別情報を
併せて表示する非公開情報明示手段
を備えたことを特徴とする請求項２または請求項３に記載の映像情報処理装置。
【請求項５】
映像情報の記憶処理を、ユーザーからの指示に基づき指定された日時に自動的に行う録
画予約工程と、
ユーザーに対して暗証番号の入力を要求することにより、ユーザーの認証を行う認証工
程と、
を有する映像情報処理方法において、
制御部が、前記録画予約工程において前記映像情報の録画予約指示をユーザーから受け
付けた際に、前記録画予約指示を行った前記ユーザーが、前記認証工程により予め認証を
受けた認証済みユーザーであるかを判別する認証結果判別工程と、
前記制御部が、前記認証結果判別工程の結果、前記ユーザーを前記認証済みユーザーで
あると判断した場合に、前記ユーザーに対して、前記録画予約指示内容を不特定多数のユ
ーザーに対して公開するかどうかの選択を可能とする公開設定工程と、
前記制御部が、前記録画予約指示内容の内容表示指示をユーザーより受信した際に、前
記内容表示指示を行った前記ユーザーが前記認証済みユーザーであるかを判別し、前記認
証済みユーザーである場合にのみ、前記映像情報処理装置に記憶されている全ての前記録
画予約指示内容を表示するとともに、前記ユーザーが前記認証済みユーザーでない場合は
、全ての前記録画予約指示内容のうち、前記公開設定工程により公開が許可されている前
記録画予約指示内容のみ表示する限定表示工程と、
前記制御部が、前記限定表示工程において、公開が許可されていない前記録画予約指示
内容を前記認証済みユーザーに対して表示する際に、公開が許可されていない前記録画予
約指示内容と公開が許可されている前記録画予約指示内容とを区別するための識別情報を
併せて表示する非公開情報明示工程と、
を有することを特徴とする映像情報処理方法。
【請求項６】
映像情報の記憶処理を、ユーザーからの指示に基づき指定された日時に自動的に行う録
画予約工程と、
ユーザーに対して暗証番号の入力を要求することにより、ユーザーの認証を行う認証工
程と、
を有する映像情報処理方法において、
制御部が、前記録画予約工程において前記映像情報の録画予約指示をユーザーから受け
付けた際に、前記録画予約指示を行った前記ユーザーが、前記認証工程により予め認証を
受けた認証済みユーザーであるかを判別する認証結果判別工程と、
前記制御部が、前記認証結果判別工程の結果、前記ユーザーを前記認証済みユーザーで
あると判断した場合に、前記ユーザーに対して、前記録画予約指示内容を不特定多数のユ
ーザーに対して公開するかどうかの選択を可能とする公開設定工程と、
を有することを特徴とする映像情報処理方法。
【請求項７】
前記制御部が、前記録画予約指示内容の内容表示指示をユーザーより受信した際に、前
記内容表示指示を行った前記ユーザーが前記認証済みユーザーであるかを判別し、前記認
証済みユーザーである場合にのみ、前記映像情報処理装置に記憶されている全ての前記録
画予約指示内容を表示するとともに、前記ユーザーが前記認証済みユーザーでない場合は
、全ての前記録画予約指示内容のうち、前記公開設定工程により公開が許可されている前
記録画予約指示内容のみ表示する限定表示工程
を有することを特徴とする請求項６に記載の映像情報処理方法。
【請求項８】
前記制御部が、前記限定表示工程において、公開が許可されていない前記録画予約指示
内容を前記認証済みユーザーに対して表示する際に、公開が許可されていない前記録画予
約指示内容と公開が許可されている前記録画予約指示内容とを区別するための識別情報を
併せて表示する非公開情報明示工程
を有することを特徴とする請求項６または請求項７に記載の映像情報処理方法。
【発明の詳細な説明】
【技術分野】
【０００１】
本発明は、映像情報処理装置、および映像情報処理方法に関するものであり、特に予約
録画処理における録画予約情報の秘匿方法に関する。
【背景技術】
【０００２】
近年、テレビ等の映像装置において処理される映像および音声の記録および再生を行う
ための装置として、ビデオテープレコーダやＤＶＤ（Digital Versatile Disk）レコーダ
、或いはＨＤＤ（Hard Disk Drive）レコーダ等の映像情報処理装置が広く普及している
。これらの映像情報処理装置は通常、映像および音声の記録（録画）を特定の日時に自動
的に行うための機能（予約録画機能）を備えている。
【０００３】
しかしながら予約録画機能を用いた録画の予約設定（録画予約設定）は、不特定多数の
ユーザーが並行して行うことができる。このため、例えばあるユーザーが設定した録画予
約情報を、他ユーザーが参照することが可能である。このため、誰かどのようなコンテン
ツ（番組）を録画予約したかという情報が容易に漏洩するため、個人情報保護の観点から
見て問題となる場合があった。
【０００４】
上記の問題に関連して特許文献１においては、あるユーザーが録画したコンテンツを、
他ユーザーが閲覧または削除等の変更処理を行うことが出来ず、視聴制限が容易に設定で
きるプライバシー保護機能を備えた記録再生装置が提示されている。
【０００５】
特許文献１の記録再生装置は、コンテンツを記録媒体に記録再生するとともに、前記コ
ンテンツを表すコンテンツ情報を記録する複数のコンテンツ一覧表記録部を有している。
また、暗証番号を入力する制御入力手段と、その入力された暗証番号を記録管理する暗証
番号管理部と、前記コンテンツ一覧表記録部から読み出して表示すべきコンテンツ一覧表
を生成するコンテンツ一覧表生成手段とを有している。前記コンテンツ一覧表記録部は、
前記制御入力手段に入力された暗証番号が、前記暗証番号管理部に管理される暗証番号と
一致した場合にのみ読み出されて生成表示される第１のコンテンツ一覧表記録部と、暗証
番号の非入力時に読み出されて生成表示される第２のコンテンツ一覧表記録部との二つの
記録部を持つことを特徴とている。
【０００６】
特許文献１の発明によれば、暗証番号を入力しないと表示されないコンテンツ一覧表（
第１のコンテンツ一覧表）を有することにより、他ユーザー（暗証番号を未入力であるユ
ーザー）から、録画コンテンツ一覧を参照することができないようにすることが可能であ
る。これにより、他ユーザーにより、録画コンテンツが再生されたり削除されることがな
く、又、簡易に視聴制限を設定することができる記録再生装置を提供することができる。
【０００７】
また上記の問題に関連して特許文献２においては、記録媒体上に記録したデータにおい
て、ユーザの意に反して必要なデータが勝手に消去されてしまうのを防ぎ、データの保存
、消去などの管理方法を適切に表示することができることを特徴とするコンテンツ記録装
置が開示されている。
【０００８】
特許文献２の記録再生装置は、コンテンツに関する情報を入力するコンテンツ情報入力
手段と、コンテンツの録画予約を行うためのコンテンツ録画予約手段と、記録媒体への前
記コンテンツのコンテンツをもつデータの書き込みおよび消去を行う記録手段と、前記コ
ンテンツ情報入力手段から入力したコンテンツ情報を保存し、前記録画予約によりまたは
前記録画予約によらず、前記コンテンツを前記記録手段に記録させる管理手段と、前記管
理手段から出力される情報を表示する表示手段とを備えている。
【０００９】
そして、前記コンテンツ録画予約手段がコンテンツを録画予約した時点において、前記
管理手段は、前記記録手段がその録画予約されたコンテンツのもつデータの、前記記録媒
体への書き込みを実行する時点での前記記録媒体の空き領域の不足を、少なくとも前記コ
ンテンツ情報、前記記録媒体の記録状況、および前記コンテンツの録画予約状況を含むコ
ンテンツ管理情報の参照によって予測する。予測の結果、前記空き領域が不足する場合に
は、所定の基準にしたがって、すでに録画されているコンテンツ、およびすでに録画予約
されているコンテンツの中から、前記書き込みを実行する時点において消去するべきコン
テンツを決定する。その後、前記管理手段が決定したコンテンツを表示する。
【００１０】
特許文献２の発明によれば、データの保存、消去などの管理方法を適切に表示すること
ができるとともに、確実なデータの管理を行うことを特徴とする記録再生装置を提供する
ことができる。
【００１１】
しかしながら、上記の特許文献１および特許文献２に開示されている記録再生装置は、
録画処理により取得された録画コンテンツの機密性保持のための発明は開示されているが
、録画段階での録画予約情報（誰が、どのようなコンテンツを録画予約しているかといっ
た情報）に関する機密保持については、開示も示唆も行われていない。従来の映像情報処
理装置において、例えば録画済みコンテンツに対して視聴制限を行ったり、もしくは録画
済みコンテンツが一部のユーザーにしかその存在を認識できないようにすることは可能で
あった。しかし、ユーザーが録画予約した録画予約情報を、他ユーザから閲覧不可にする
等のセキュリティ機能を備えた映像情報処理装置は存在しなかった。
【特許文献１】特開２００２−２３２８２０号公報
【特許文献２】特開２００１−１６０２６４号公報
【発明の開示】
【発明が解決しようとする課題】
【００１２】
本発明は、上記の問題を解決するためになされたものであって、その目的は、認証によ
り許可されたユーザーのみ全録画予約情報を閲覧することができ、認証により許可されて
いないユーザーは一部の録画予約情報しか閲覧することができない予約録画機能を備えた
映像情報処理装置を提供することにある。
【課題を解決するための手段】
【００１３】
上記目的を達成するために本発明の映像情報処理装置は、
映像情報の記憶処理を、ユーザーからの指示に基づき指定された日時に自動的に行う録
画予約機能と、
ユーザーに対して暗証番号の入力を要求することにより、ユーザーの認証を行う認証機
能と、
を備えた映像情報処理装置において、
制御部が、前記録画予約機能を用いた前記映像情報の録画予約指示をユーザーから受け
付けた際に、前記録画予約指示を行った前記ユーザーが、前記認証機能により予め認証を
受けた認証済みユーザーであるかを判別する認証結果判別手段と、
前記制御部が、前記認証結果判別手段において、前記ユーザーを前記認証済みユーザー
であると判断した場合に、前記ユーザーに対して、前記録画予約指示内容を不特定多数の
ユーザーに対して公開するかどうかの選択を可能とする公開設定手段と、
を備えたことを特徴としている。
【００１４】
この構成によると、
ユーザーから録画予約指示を受け付けた際に、前記録画予約指示を行ったユーザーが、
あらかじめ認証処理によってユーザー認証（映像情報処理装置を使用可能なユーザーであ
ることを示す認証）を受けているかどうかの確認を行う。確認の結果、認証を受けている
と判断された場合、ユーザーに対して、録画予約情報（録画予約指示内容）を不特定多数
のユーザー（認証を受けていないユーザー）に対して公開する（例えば予約録画一覧画面
において録画予約情報を表示する）かどうかを、選択的に設定することを可能とする（例
えば公開選択画面の表示を行い、公開、非公開の選択を操作部を用いて行うことを可能と
する等）。
【００１５】
また、上記目的を達成するために本発明の映像情報処理装置は、
前記制御部が、前記録画予約指示内容の内容表示指示をユーザーより受信した際に、前
記内容表示指示を行った前記ユーザーが前記認証済みユーザーであるかを判別し、前記認
証済みユーザーである場合にのみ、前記映像情報処理装置に記憶されている全ての前記録
画予約指示内容を表示するとともに、前記ユーザーが前記認証済みユーザーでない場合は
、全ての前記録画予約指示内容のうち、前記公開設定手段において公開が許可されている
前記録画予約指示内容のみ表示する限定表示手段
を備えたことを特徴としている。
【００１６】
この構成によると、
ユーザーから録画予約情報の表示指示を受け付けた際に、前記表示指示を行ったユーザ
ーが、あらかじめ認証処理によってユーザー認証を受けているかどうかの確認を行う。確
認の結果、認証を受けていると判断された場合は、記録されている全録画予約情報を閲覧
することを可能とする。確認の結果、認証を受けていないと判断された場合は、記録され
ている全録画予約情報のうち、公開が許可されている録画予約情報のみを閲覧することを
可能とする。
【００１７】
また、上記目的を達成するために本発明の映像情報処理装置は、
前記制御部が、前記限定表示手段において、公開が許可されていない前記録画予約指示
内容を前記認証済みユーザーに対して表示する際に、公開が許可されていない前記録画予
約指示内容と公開が許可されている前記録画予約指示内容とを区別するための識別情報を
併せて表示する非公開情報明示手段
を備えたことを特徴としている。
【００１８】
この構成によると、
ユーザーから録画予約情報の表示指示を受け付け、さらに前記表示指示を行ったユーザ
ーが認証済みユーザーであると確認された場合において、記憶されている全録画予約情報
を表示する際に、各録画予約情報毎に、公開の許可、不許可の設定状況を示す情報（例え
ばアイコン等）を付加して各録画予約情報を表示する。
【発明の効果】
【００１９】
本発明の第一の構成によれば、録画予約一覧画面において、表示する録画予約情報と表
示しない（予約されていることを隠す）録画予約情報の二種類の録画予約情報を設定する
ことができる。これにより、不特定のユーザーに対して自分の録画予約情報を隠す或いは
隠さないを選択できるため、個人情報の漏洩を防ぐことが可能となる。
【００２０】
本発明の第二の構成によれば、録画予約一覧画面において、予め公開設定がなされてい
る録画予約情報のみを表示し、非公開設定がなされている録画予約情報は表示しない。こ
れにより、録画予約一覧画面において、ユーザーは特に情報の秘匿操作等を行うことなく
、不特定のユーザーに対して自動的に録画予約情報を隠すことができるため、ユーザーに
とっての利便性が向上する。
【００２１】
また本発明の第三の構成によれば、録画予約一覧画面において、非公開設定がなされて
いる録画予約情報（認証により許可されたユーザーのみが閲覧できる録画予約情報）に対
して、非公開設定がなされていることを示す識別子（例えばアイコン等）を表示し、どの
録画予約情報が非公開設定されている録画予約情報であるかを容易に識別できるようにし
ている。これにより、録画予約情報の公開、非公開の確認を、随時予約録画設定画面を表
示して行う必要がないため、ユーザーにとっての利便性が向上する。
【発明を実施するための最良の形態】
【００２２】
本発明の実施の一形態について、図面に基づいて説明すれば、以下の通りである。
［実施の形態］
〈１．ＨＤＤレコーダの内部構成について〉
ここで、本発明の第一の実施形態におけるＨＤＤレコーダ１の電気回路システムの要部
構成を、図３のブロック図を用いながら説明する。
【００２３】
図３のブロック図に示すように、本発明のＨＤＤレコーダ１は、少なくとも、制御部１
１、メモリ１２、ＨＤＤ１３、データ入力部１４、エンコーダ部１５、デコーダ部１６、
データ出力部１７、プログラム記憶部１８、操作ボタン群２１、およびフロントパネル２
２を含むように構成されている。
【００２４】
制御部１１は、ＨＤＤレコーダ１の各部材の駆動を有機的に制御することにより映像情
報処理（コンテンツの録画、或いは再生等）を統括制御するための中央処理装置である。
また制御部１１は、各装置（例えばＨＤＤ１３等）の制御やデータの計算、加工処理等を
行なう中枢部分となっている。
【００２５】
メモリ１２は、ＨＤＤレコーダ１が保持する各種データを一時的に記憶する媒体であり
、例えば書込可能なＲＡＭ（Random Access Memory）等により構成されている。メモリ１
２は、例えば制御部１１によって各種情報処理が行われる際の処理データや、ユーザーか
ら受けた指示命令等を一時的に記憶しておくためのバッファメモリとしての役割を持つ。
【００２６】
ＨＤＤ１３は、ＨＤＤレコーダ１が保持する各種データ（映像データ、および管理デー
タ等）を記録するための磁気記憶媒体である。なお、ＨＤＤ１３は、複数の領域（パーテ
ィション）に物理的に分割されており、記憶するデータの種別（映像データ、管理データ
等）に応じて領域別に記憶することがより望ましい。
【００２７】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００２８】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００２９】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３０】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３１】
プログラム記憶部１８は、例えば制御部１１を用いた各種処理（例えば映像データの入
出力制御等）を行うためのプログラムデータを記憶するための媒体であり、例えば情報の
読み出しのみが可能なＲＯＭ（Read Only Memory）等が用いられる。
【００３２】
操作ボタン群２１は、ユーザーが番組の録画および録画予約等の各種指示をＨＤＤレコ
ーダ１に対して行なうための入力インターフェースである。フロントパネル２２は、ＨＤ
Ｄレコーダ１の各種情報をユーザーに対して表示するためのユーザーインタフェースであ
る。
〈２．録画予約工程について〉
ここで、本発明のＨＤＤレコーダ１における録画予約処理の処理工程を、図１のフロー
図と、図３のブロック図とを用いながら説明する。
【００３３】
図１に示すように、制御部１１がユーザーからの録画予約命令を検知することにより、
本処理が開始される（Ｓ１１０）。なお、録画予約命令は、例えばユーザーが操作ボタン
群２１を用いて予約操作を行なった場合等に発行される。
【００３４】
ユーザーより録画予約命令を受けた制御部１１は、受け付けた予約内容を確認し、ＨＤ
Ｄ１３に記憶する（Ｓ１２０）。そして、録画予約を行ったユーザーが、予めパスワード
の入力等により認証が行われ、かつ認証が許可されたユーザーであるかを判別する（Ｓ１
３０）。許可されたユーザーである場合、次のＳ１４０に移行する。認証が許可されなか
ったユーザー、或いは認証を行っていないユーザーであると判別された場合は、通常の録
画予約と同様の処理となるため、本処理を終了する。
【００３５】
前記Ｓ１３０において認証が許可されたユーザーであると判別した場合は、録画予約設
定画面において、非表示機能のＯＮ／ＯＦＦを選択する欄を表示し、入力を受け付ける状
態に移行する（Ｓ１４０）。例えば図４に示すように、録画予約コンテンツの一番右端の
欄に、非表示機能を使用するかどうかの項目を設ける。非表示機能がＯＮになっている項
目（図中ではコンテンツＮｏ．２のドラマＢ）は、後述する図６に示すように録画予約一
覧画面において録画予約情報が一切表示されない。非表示機能がＯＦＦになっている項目
（図中ではコンテンツＮｏ．１のアニメＡおよびコンテンツＮｏ．３のバラエティＣ）は
、後述する図６に示すように録画予約一覧画面において通常通り表示される。
〈３．録画予約一覧表示工程について〉
ここで、本発明のＨＤＤレコーダ１における録画予約一覧表示処理の処理工程を、図２
のフロー図と、図３のブロック図とを用いながら説明する。
【００３６】
図２に示すように、制御部１１がユーザーからの録画予約一覧表示命令を検知すること
により、本処理が開始される（Ｓ２１０）。なお、録画予約一覧表示命令は、例えばユー
ザーが操作ボタン群２１を用いて予約操作を行なった場合等に発行される。
【００３７】
ユーザーより録画予約一覧表示命令を受けた制御部１１は、ＨＤＤ１３に記憶されてい
る録画予約情報を読み出す。この際、録画予約一覧表示命令を行ったユーザーが、予め認
証処理を受け（例えばパスワードの入力等）、認証処理により許可されたユーザーである
かどうかを確認する（Ｓ２２０）。認証処理によって許可されたユーザーであると確認さ
れた場合は、全コンテンツを一覧表示する。なおこの際、非公開設定がなされているコン
テンツに対しては、非公開設定がなされていることをしめす識別子（アイコン、文字情報
等）が表示される（Ｓ２３０）。
【００３８】
例えば図４に示すように、録画予約設定画面において、Ｎｏ．２のコンテンツ（ドラマ
Ｂ）の非公開設定がＯＮに設定されていたとする。この場合、前記Ｓ２３０の処理によっ
て、図５に示す録画予約一覧画面が表示される。図５において、ドラマＢに関する録画予
約情報は表示されているが、右端に非表示を示すアイコン（「秘」）が表示されている。
【００３９】
逆に前記Ｓ２２０において、認証処理によって許可されていないユーザー、或いは認証
処理そのものを行っていないユーザー（つまり不特定ユーザー）であると認識された場合
は、非公開設定がＯＮに設定されているコンテンツは表示せず、非公開設定がＯＦＦに設
定されていコンテンツのみを一覧表示する（Ｓ２４０）。
【００４０】
例えば図４に示すように、録画予約設定画面において、Ｎｏ．２のコンテンツ（ドラマ
Ｂ）の非公開設定がＯＮに設定されていたとする。この場合、前記Ｓ２４０の処理によっ
て、図６に示す録画予約一覧画面が表示される。図６において、ドラマＢに関する録画予
約情報は表示されない。
〈３．本発明の種々ある特徴について〉
本実施形態によると、録画予約設定画面において、予約録画を行うユーザーが認証済み
ユーザーにである場合に（Ｓ１３０）、録画予約情報の公開（他ユーザーへの公開）を許
可するか、それとも許可しないかを選択することが可能となる（Ｓ１４０）。このため、
他人に知られたくない録画予約情報の漏洩を防ぐことが可能である。
【００４１】
また本実施形態によると、ユーザーより録画予約一覧画面の表示が指示された際に、指
示を行ったユーザーが認証済みユーザーであるかを確認し（Ｓ２２０）、認証済みユーザ
ーである場合にのみ、録画予約一覧画面において、非公開設定に指定された録画予約情報
の表示を行う（Ｓ２３０）。なおこの際、非公開設定がなされているアイコン（もしくは
文字情報等）も併せて表示する。逆に不特定ユーザー（認証による許可がなされていない
ユーザー）の場合は、非公開設定がなされている録画予約情報は表示されず（Ｓ２４０）
、閲覧することができない。このため、ユーザーの録画予約情報に関する機密を、不特定
ユーザーから守ることが可能である。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００４２】
例えば前述した実施形態の機能を実現するソフトウェアのプログラムコードを記録した
記憶媒体を、ＨＤＤレコーダ１に供給し、そのＨＤＤレコーダ１内のコンピュータ（例え
ばＣＰＵ）が記憶媒体に格納されたプログラムコードを読出し実行することによっても、
達成されることは言うまでもない。
【００４３】
この場合、記憶媒体から読出されたプログラムコード自体が、前述した実施形態の機能
を実現することになり、そのプログラムコードを記憶した記憶媒体は本発明を構成するこ
とになる。
【００４４】
なお、プログラムコードを供給するための記憶媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００４５】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００４６】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００４７】
また、本発明の映像情報処理方法が、ＨＤＤレコーダ以外の映像処理装置において用い
られたとしても、同様の効果がえられることは言うまでもない。なお、映像情報処理装置
としては、例えばＤＶＤレコーダ、ビデオテープレコーダ（ＶＴＲ）、ＤＶレコーダ、パ
ソコン、デジタルビデオカメラ、などが挙げられる。
【図面の簡単な説明】
【００４８】
【図１】本発明のＨＤＤレコーダによる録画予約処理の処理フロー図である。
【図２】本発明のＨＤＤレコーダによる録画予約一覧表示処理の処理フロー図である。
【図３】本発明のＨＤＤレコーダ内部の要部構成を示したブロック図である。
【図４】本発明のＨＤＤレコーダによる録画予約設定画面の画面図である。
【図５】本発明のＨＤＤレコーダによる録画予約一覧画面の一例を示した画面図である。
【図６】本発明のＨＤＤレコーダによる録画予約一覧画面の一例を示した画面図である。
【符号の説明】
【００４９】
１      ＨＤＤレコーダ（映像情報処理装置）
１１    制御部
１２    メモリ
１３    ハードディスク（記憶部）
１４    データ入力部
１５    エンコーダ部
１６    デコーダ部
１７    データ出力部
１８    制御プログラム記憶部
【図１】
2007059977.tif 000003
【図２】
2007059977.tif 000004
【図３】
2007059977.tif 000005
【図４】
2007059977.tif 000006
【図５】
2007059977.tif 000007
【図６】
2007059977.tif 000008